(57)【要約】【課題】  複数の台全てにおいて略均等な確率にて跳躍した遊技球を案内部へ着地させることができるパチンコ遊技機を提供する。【解決手段】  始動口６へ遊技球が入賞したことを条件として複数の図柄を変動表示させ得る図柄表示手段５と、遊技球が進入可能とされ、進入した当該遊技球を流下させ得る流下通路１１ａ、該流下通路１１ａの終端に形成されて遊技球を跳躍せしめる跳躍部１１ｂ、及び跳躍部１１ｂによって跳躍した遊技球が着地する着地領域１１ｇを具備した役物装置１１と、該役物装置１１の着地領域１１ｇに形成されて遊技球を所定軌跡に沿って案内し、遊技球の始動口６への入賞を容易とし得る案内手段とを備え、図柄が停止表示された際に所定の図柄であるときに大当たりとされるパチンコ遊技機において、着地領域における案内手段が当該着地領域内で移動可能な移動部材１４とされたものである。【選択図】図５
2005102824.tif 000002
【特許請求の範囲】
【請求項１】
遊技球が進入可能とされ、進入した当該遊技球を流下させ得る流下通路、該流下通路の終端に形成されて遊技球を跳躍せしめる跳躍部、及び跳躍部によって跳躍した遊技球が着地する着地領域を具備した役物装置と、
該役物装置の着地領域に形成されて遊技球を所定軌跡に沿って案内し、遊技球の入賞口への入賞を容易とし得る案内手段と、
を備えたパチンコ遊技機において、
前記着地領域における案内手段が当該着地領域内で移動可能とされたことを特徴とするパチンコ遊技機。
【請求項２】
始動口へ遊技球が入賞したことを条件として複数の図柄を変動表示させ得る図柄表示手段と、
遊技球が進入可能とされ、進入した当該遊技球を流下させ得る流下通路、該流下通路の終端に形成されて遊技球を跳躍せしめる跳躍部、及び跳躍部によって跳躍した遊技球が着地する着地領域を具備した役物装置と、
該役物装置の着地領域に形成されて遊技球を所定軌跡に沿って案内し、遊技球の前記始動口への入賞を容易とし得る案内手段と、
を備え、前記図柄表示手段の図柄が停止表示された際に所定の図柄であるときに大当たり状態とされるパチンコ遊技機において、
前記着地領域における案内手段が当該着地領域内で移動可能とされたことを特徴とするパチンコ遊技機。
【請求項３】
前記案内手段は、着地領域内で移動可能とされるとともに跳躍部にて跳躍した遊技球を受け入れ得る受入孔が形成されたものであることを特徴とする請求項１又は請求項２記載のパチンコ遊技機。
【請求項４】
前記案内手段は、駆動手段により遊技中常時着地領域において左右方向へ摺動動作することを特徴とする請求項１〜請求項３のいずれか１つに記載のパチンコ遊技機。
【発明の詳細な説明】
【技術分野】
【０００１】
本発明は、進入した遊技球を流下させた後に跳躍させて、その着地領域に始動口への入賞を容易にすることができる案内手段が形成された役物装置を具備したパチンコ遊技機に関するものである。
【背景技術】
【０００２】
パチンコ遊技機は、通常、その遊技盤の略中央に配設された液晶画面等から成る図柄表示手段を有しており、かかる図柄表示手段は、遊技球が始動口に入賞して始動条件が成立すると、３つの図柄を変動表示させて所定時間経過した後、順次停止表示させ、それら３つの図柄が同じとなって揃った場合、所謂Ｖゾーンを有した大入賞口を所定タイミングで開閉させ、遊技者にとって有利な特別遊技状態、即ち大当たり状態とされる。この大当たり状態が発生することにより、遊技者は多数の賞球を獲得することができるのである。
【０００３】
近時においては、遊技盤の中央に図柄表示手段を囲んで配設された役物装置が提供されており、かかる役物装置内に遊技球を進入させ、当該遊技球を所定軌跡で落下させるものが例えば特許文献１等にて開示されている。ここで開示されたパチンコ遊技機における中央の役物装置（センター役物）は、内部に遊技球を進入させ得る開口部と、該開口部から進入した遊技球を流下させる流下通路と、該流下通路の終端に形成されて遊技球をその流下する勢いで跳躍させる跳躍部と、該跳躍部により跳躍した遊技球が着地する着地領域と、該着地領域の所定位置に固定されるとともに遊技球の始動口への入賞を容易たらしめる案内部とが形成されていた。
【０００４】
かかる従来のパチンコ遊技機によれば、遊技球を跳躍させるという視覚的な遊技性を付加することができるとともに、案内部に遊技球が着地すれば始動口への入賞を容易たらしめることができるので、新たな興趣を付与して遊技性を更に向上させることができる。具体的には、案内部にて案内された遊技球は、役物装置直下に配設された始動口へ向かって落下するので、当該始動口への入賞が容易とされるのである。
【特許文献１】特開２００１−２９５６９号公報
【発明の開示】
【発明が解決しようとする課題】
【０００５】
しかしながら、上記従来のパチンコ遊技機においては、跳躍した遊技球の着地領域に形成された案内部が所定位置に固定されているため、以下の如き問題があった。即ち、役物装置に進入した遊技球の流下する勢いにて跳躍させる構成であるため、パチンコ遊技機の取付状態（傾き等）や跳躍部の形成誤差等によって、その着地点が異なることとなってしまい、案内部に着地し易いパチンコ遊技機とそうでないものとの差が顕著に現れてしまい、複数のパチンコ遊技機全てを均等な確率にて案内部へ着地させることが困難であるという問題があった。
【０００６】
本発明は、このような事情に鑑みてなされたもので、複数の台全てにおいて略均等な確率にて跳躍した遊技球を案内部へ着地させることができるパチンコ遊技機を提供することにある。
【課題を解決するための手段】
【０００７】
請求項１記載の発明は、遊技球が進入可能とされ、進入した当該遊技球を流下させ得る流下通路、該流下通路の終端に形成されて遊技球を跳躍せしめる跳躍部、及び跳躍部によって跳躍した遊技球が着地する着地領域を具備した役物装置と、該役物装置の着地領域に形成されて遊技球を所定軌跡に沿って案内し、遊技球の入賞口への入賞を容易とし得る案内手段とを備えたパチンコ遊技機において、前記着地領域における案内手段が当該着地領域内で移動可能とされたことを特徴とする。
【０００８】
請求項２記載の発明は、始動口へ遊技球が入賞したことを条件として複数の図柄を変動表示させ得る図柄表示手段と、遊技球が進入可能とされ、進入した当該遊技球を流下させ得る流下通路、該流下通路の終端に形成されて遊技球を跳躍せしめる跳躍部、及び跳躍部によって跳躍した遊技球が着地する着地領域を具備した役物装置と、該役物装置の着地領域に形成されて遊技球を所定軌跡に沿って案内し、遊技球の前記始動口への入賞を容易とし得る案内手段とを備え、前記図柄表示手段の図柄が停止表示された際に所定の図柄であるときに大当たり状態とされるパチンコ遊技機において、前記着地領域における案内手段が当該着地領域内で移動可能とされたことを特徴とする。
【０００９】
請求項３記載の発明は、請求項１又は請求項２記載のパチンコ遊技機において、前記案内手段は、着地領域内で移動可能とされるとともに跳躍部にて跳躍した遊技球を受け入れ得る受入孔が形成されたものであることを特徴とする。
【００１０】
請求項４記載の発明は、請求項１〜請求項３のいずれか１つに記載のパチンコ遊技機において、前記案内手段は、駆動手段により遊技中常時着地領域において左右方向へ摺動動作することを特徴とする。
【発明の効果】
【００１１】
請求項１〜請求項４の発明によれば、着地領域における案内手段が当該着地領域内で移動可能とされているので、パチンコ遊技機の取付状態や跳躍部の形成誤差等によって遊技球の跳躍軌跡が変化したとしても、複数の台全てにおいて略均等な確率にて跳躍した遊技球を案内部へ着地させることができる。
【発明を実施するための最良の形態】
【００１２】
以下、本発明の実施形態について図面を参照しながら具体的に説明する。
本実施形態に係るパチンコ遊技機は、３列の図柄を変動表示又は停止表示させる図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。具体的には、図１に示すように、本パチンコ遊技機１は、ガラス板２が取り付けられた前面枠３を有しており、該ガラス板２から遊技者が遊技盤４を目視し得るよう構成されている。
【００１３】
かかる遊技盤４の遊技領域には、図柄表示手段５やチューリップから成る始動口６、大入賞口７等の各種役物が配設されるとともに、風車や複数の釘（不図示）が配設されている。このうち図柄表示手段５は、液晶表示画面から成るものであり、その画面に図柄や背景、及び演出のための各種キャラクタを表示し得るものであり、始動口６に遊技球が入賞して始動条件が成立すると、３つの図柄を所定時間変動表示させ、これら図柄が３つ同じとなって揃った状態にて停止表示されれば「大当たり」状態を発生させ得るよう構成されている。
【００１４】
そして、「大当たり」状態が発生すると、所謂Ｖゾーンを有する大入賞口７が所定時間及びタイミングで開閉し、遊技者が多数の遊技球（賞球）を獲得できるといった遊技者にとって有利な特別遊技状態が発生する。かかる大当たり状態には、次の変動表示乃至停止表示にて再び「大当たり」状態が発生し易い確率変動とすべき図柄と、通常の確率で再び「大当たり」となる通常変動すべき図柄とがある。尚、「大当たり」中においては、前面枠３や遊技盤４等に取り付けられた各種ランプやフラッシュ等が点滅或いは点灯するとともに、図柄表示手段５の画面上においてキャラクタ等による所定の演出が行われるようになっている。
【００１５】
また、パチンコ遊技機１の下部右隅にはハンドル８が配設されており、該ハンドル８の回動操作により上皿９内の遊技球を遊技盤４の遊技領域に連続的に打ち出し得るよう構成されている。尚、同図における符号１０は、下皿を示しており、該下皿１０の近傍にはスピーカ１２が配設されて、演出のための効果音などが発せられるようになっている。ここで、遊技盤４の略中央には、図柄表示手段５を臨ませつつ役物装置１１が配設されており、その中央下部と始動口１４との間には、遊技球を通過させ得る２本の釘Ｋ１、Ｋ２及びゲート１３が配設されている。
【００１６】
役物装置１１は、図２に示すように、略中央に図柄表示手段５の画面を臨ませるための開口窓１１ｆが形成されるとともに、内部に遊技球を進入させ得る開口部１１ｅが形成されている。この開口部１１ｅは、図３で示す流下通路１１ａと連通しており、当該開口部１１ｅから進入した遊技球が流下通路１１ａに沿って流下し得るよう構成されている。尚、この流下通路１１ｅの終端には、上方に突出した跳躍部１１ｂが左右に一対形成されており、流下通路１１ａにより流下した遊技球が、その勢いで跳躍し得るようになっている。
【００１７】
左右何れかの跳躍部１１ｂにて跳躍した遊技球は、それらの間の着地領域１１ｇに着地するよう設定されている。この着地領域１１ｇには、同図に示すように、孔１１ｈが形成されており、該１１ｈは正面（遊技者側）に向かって配設された排出扉１１ｃと連通している。また、孔１１ｈ上には、図５で示すように、その開口を塞ぐように移動部材１４が載置されており、跳躍部１１ｂにて跳躍した遊技球が移動部材１４の受入孔１４ａに入った後に排出扉１１ｃから排出されるとともに、一対の凸部１１ｄにより案内されつつ役物装置１１から落下するようになっている。
【００１８】
然るに、遊技盤４における一対の凸部１１ｄと対応した位置には、既述した２本の釘Ｋ１、Ｋ２、及びゲート１３が形成されており、当該凸部１１ｄにより導かれて落下した遊技球の始動口６への入賞を容易としている。尚、上記移動部材１４、排出扉１１ｃ及び一対の凸部１１ｄは、本発明の案内手段を構成しており、遊技球を所定軌跡に沿って案内し、遊技球の始動口６への入賞を容易とするものである。また、一対の凸部１１ｄに代えて、遊技球を案内する溝形状等としてもよい。
【００１９】
一方、移動部材１４には、図４に示すように、受入孔１４ａ及び板部１４ｂが形成されているとともに、当該板部１４ｂの略中央には、背面側に突出した凸条部１４ｃが当該板部１４ｂの延設方向に形成されている。また、かかる移動部材１４は、着地領域１１ｇの孔１１ｈ上に載置された際、図６に示すように、その板部１４ｂ及び凸条部１４ｃを役物装置１１の背面側に臨ませるようになっている。
【００２０】
更に、役物装置１１の背面側は、図７で示すような、カバー部材１５で覆われるようになっており、かかるカバー部材１５の略中央には、図柄表示手段５を臨ませ得る開口窓１５ａが形成されているとともに、その下部にはピン１５ｂが同図紙面上手前方向に突設されている。また更に、カバー部材１５の下部には、連動部材１６が配設されており、移動部材１４を着地領域１１ｇ内において左右方向に移動可能としている。より具体的には、図８に示すように、連動部材１６は、先端に板状部１６ｃを有しており、該板状部１６ｃには縦方向に延びるスリット１６ａが形成されている。
【００２１】
かかるスリット１６ａは、移動部材１４の凸条部１４ｃを嵌合可能な形状及び大きさとされており、これらの嵌合により連動部材１６と移動部材１４とが連結されるようになっている。また、連動部材１６の先端近傍には、カバー部材１５のピン１５ｂを嵌合し得る横方向に延びた長孔１６ｂが形成されており、当該連動部材１６を支持しつつ、その左右方向の動作を案内し得るよう構成されている。更に、連動部材１６の基端側には、上下方向に延びる長孔１６ｄが形成されている。
【００２２】
一方、カバー部材１５の背面側には、図１０で示すように、駆動手段としてのモータＭが固設されている。このモータＭは、図９で示すように、その出力軸Ｍａの先端に円板状の回転板１７が取り付けられており、該回転板１７の回転中心からオフセットした位置には、凸部１８が形成されている。かかる凸部１８は、モータＭがカバー部材１５に組み付けられた際に、連動部材１６の長孔１６ｄに嵌合されるようになっており、当該モータＭの駆動により連動部材１６が左右方向に摺動動作するよう構成されている。
【００２３】
即ち、モータＭの駆動で連動部材１６が左右方向に摺動動作するのに伴い、該連動部材１６の先端に連結された移動部材１４も左右方向に摺動動作するよう構成されているのである。従って、図１１に示すように、移動部材１４は、着地領域１１ｇ内において左右方向に常時摺動動作することとなり、跳躍部１１ｂにて跳躍した遊技球の受入位置（受入孔１４ａの位置）が変化するように設定されているので、パチンコ遊技機１の取付状態や跳躍部１１ｂの形成誤差等によって遊技球の跳躍軌跡が変化したとしても、複数の台全てにおいて略均等な確率にて跳躍した遊技球を移動部材１４へ着地させ（具体的には受入孔１４ａ内に受け入れ）、始動口６への入賞を容易とすべく案内することができる。
【００２４】
以上、本実施形態について説明したが、本発明はこれに限定されるものではなく、例えば役物装置における流下通路、跳躍部を他の形状としてもよく、或いは移動部材１４の移動機構も他の構成としてもよい。即ち、本実施形態の如くモータＭの駆動により遊技中常時移動部材１４を左右方向に移動させるものの他、所定間隔おいて移動させるものや、所定条件が成立したとき（例えば開口部１１ｅを遊技球が通過したのを検知してから所定時間）のみ移動部材１４を移動させるようにしてもよい。
【産業上の利用可能性】
【００２５】
本発明に係るパチンコ遊技機は、役物装置において遊技球を進入させて流下通路にて流下させ、その終端の跳躍部で跳躍させたものであって、跳躍した遊技球の着地領域内で案内手段が移動可能とされたものであれば、他の形態のもの（図柄表示手段を要さないものや外観形状等が異なるもの）にも適用することができる。
【図面の簡単な説明】
【００２６】
【図１】本発明の実施形態に係るパチンコ遊技機を示す正面図
【図２】同パチンコ遊技機における役物装置を示す正面図
【図３】同役物装置の下部及びその近傍を示す模式図（移動部材を取り付ける前の状態）
【図４】同役物装置における移動部材を示す上面図及び背面図
【図５】同役物装置の下部及びその近傍を示す模式図（移動部材を取り付けた後の状態）
【図６】同役物装置の背面図
【図７】本発明の実施形態に係るパチンコ遊技機におけるカバー部材を示す正面図
【図８】同カバー部材に取り付けられる連動部材を示す模式図
【図９】同カバー部材に取り付けられるモータを示す正面図及び側面図
【図１０】同カバー部材を示す背面図
【図１１】本発明の実施形態に係るパチンコ遊技機における跳躍部で跳躍した遊技球及び着地領域内で左右方向に移動する移動部材の関係を示す模式図
【符号の説明】
【００２７】
１    パチンコ遊技機
２    ガラス板
３    前面枠
４    遊技盤
５    図柄表示手段
６    始動口
７    大入賞口
８    ハンドル
９    上皿
１０  下皿
１１  役物装置
１１ａ  流下通路
１１ｂ  跳躍部
１１ｃ  排出扉
１１ｄ  凸部
１１ｅ  開口部
１１ｆ  開口窓
１１ｇ  着地領域
１１ｈ  孔
１２  スピーカ
１３  ゲート
１４  移動部材（案内手段）
１４ａ  受入孔
１５  カバー部材
１６  連動部材
１７  回転板
１８  凸部
Ｍ    モータ（駆動手段）
【図１】
2005102824.tif 000003
【図２】
2005102824.tif 000004
【図３】
2005102824.tif 000005
【図４】
2005102824.tif 000006
【図５】
2005102824.tif 000007
【図６】
2005102824.tif 000008
【図７】
2005102824.tif 000009
【図８】
2005102824.tif 000010
【図９】
2005102824.tif 000011
【図１０】
2005102824.tif 000012
【図１１】
2005102824.tif 000013